(57)【要約】【課題】一般的なネクタイの裏側にポケットを設けたものを提供する。【解決手段】形成されたネクタイＡの大剣部１の裏面に、一方に開口部を有するポケット３を設け、当該ポケット３の表面の一部に窓５をあけ、当該窓５を透明な材質から成る合成繊維５ａで塞ぎ、当該ポケット３の上方に位置するネクタイＡの裏面に紐を通すループ８を設け、当該ポケット３の中に小型のミュージックプレイヤー７を入れ、当該ミュージックプレイヤー７のイアホンのコード７ａを上記ループ８に通した。【選択図】図１
0003120765.tif 000002
【実用新案登録請求の範囲】
【請求項１】
形成されたネクタイの大剣部の裏面に、一方に開口部を有するポケットを設けたことを特徴とする、ポケット付ネクタイ。
【請求項２】
上記ポケットは袋状を成し、当該ポケットの裏面とネクタイの大剣部の裏面とに夫々設けた係止具及び被係止具によって当該ポケットを当該大剣部に着脱自在に取り付けたことを特徴とする、上記請求項１に記載のポケット付ネクタイ。
【請求項３】
上記係止具及び被係止具が雄型及び雌型の面ファスナーであることを特徴とする、上記請求項２に記載のポケット付ネクタイ。
【請求項４】
上記ポケットの表面の一部に窓をあけ、当該窓を透明な材質から成る部材で塞いだことを特徴とする、上記請求項１、２又は３の何れかに記載のポケット付ネクタイ。
【請求項５】
上記ポケットの上方に位置するネクタイの裏面に紐を通すループを設けたことを特徴とする、上記請求項１、２、３又は４の何れかに記載のポケット付ネクタイ。
【考案の詳細な説明】
【技術分野】
【０００１】
この考案は、ワイシャツなどを着た際、当該ワイシャツの襟元を絞めるネクタイの裏面にポケットを設けたポケット付ネクタイに関するものである。
【背景技術】
【０００２】
従来から、特に男性の間でワイシャツを着、背広を着た際、襟元にネクタイを締めることが一般的に行われている。そして、この様なネクタイは、専ら、柄、色、結び方、上着やワイシャツ等との配色などでおしゃれが楽しまれている。一方、ネクタイの構成は、概略、大剣と小剣からなり、機能的には、ワイシャツの襟元に絞める以外としては、あまり、役目を持つものではない。
【非特許文献１】ネクタイショップVIONTEのホームページ/ネクタイの知識/初級編より抜粋（2006年1月現在のものより）
【考案の開示】
【考案が解決しようとする課題】
【０００３】
しかしながら、この様なネクタイの裏面にポケットを設けたら、当該ポケットにカード等を入れたり、様々に利用できて便利であり、ネクタイを締めるのがより楽しくなり、ネクタイ需要の増加にもつながる。
【０００４】
そこで、この考案は、一般的なネクタイの裏側にポケットを設けたものを提供するものである。
【課題を解決するための手段】
【０００５】
請求項１の考案は、形成されたネクタイの大剣部の裏面に、一方に開口部を有するポケットを設けたポケット付ネクタイとした。請求項２の考案は、上記ポケットは袋状を成し、当該ポケットの裏面とネクタイの大剣部の裏面とに夫々設けた係止具及び被係止具によって当該ポケットを当該大剣部に着脱自在に取り付けた上記請求項１に記載のポケット付ネクタイとした。
【０００６】
請求項３の考案は、上記係止具及び被係止具が雄型及び雌型の面ファスナーである上記請求項２に記載のポケット付ネクタイとした。また、請求項４の考案は、上記ポケットの表面の一部に窓を設け、当該窓を透明な材質から成る部材で塞いだ上記請求項１、２又は３の何れかに記載のポケット付ネクタイとした。
【０００７】
請求項５の考案は、上記ポケットの上方に位置するネクタイの裏面に紐を通すループを設けた上記請求項１、２、３又は４の何れかに記載のポケット付ネクタイとした。
【考案の効果】
【０００８】
請求項１の考案によれば、形成されたネクタイの大剣部の裏面に、一方に開口部を有するポケットを設けたので、軽量なものであれば、例えば、交通機関のプリペイドカード、各種カード、小型のミュージックプレイヤーやラジオ等何でも入れることが出来る。また、ポケットが常に自分の目の前にあり、入れたものの出し入れが容易に出来るので大変に便利である。さらに、夏季などで、上着を着用しない季節には、ポケットが一つ増えたことになり、重宝である。
【０００９】
また、請求項２又は３の何れかの考案によれば、上記ポケットは袋状を成し、雄型雌型の面ファスナーやその他の係止具と被係止具によって、ネクタイの大剣部に着脱自在に取り付けたので、このポケットが不要の時には、簡単に外すことが出来、必要な時には、簡単に取付けることが出来、便利である。
【００１０】
請求項４の考案によれば、上記ポケットの表面の一部に透明な材質から成る窓を設けたので、このポケットの中に何が入っているか、また、このポケット内に入れられた機器の周波数やレベルなどの表示が一目で分かり、便利である。
【００１１】
さらに、請求項５の考案によれば、上記ポケットの上方に位置するネクタイの裏面に紐を通すループを設けたので、このポケットの中に小型のミュージックプレイヤーやラジオ等を入れた場合、当該機器から伸びるイアホンのコード等をこのループの中に通せば、ネクタイから広がらずすっきりとまとめることが出来る。
【考案を実施するための最良の形態】
【００１２】
形成されたネクタイの大剣部の裏面に、一方に開口部を有するポケットを設けた。このポケットの中に電車のプリペイドカードなどを入れた場合、混雑した駅の改札口でも、当該プリペイドカードを簡単に出し入れすることが出来、極めて便利である。
【実施例１】
【００１３】
以下、この考案の実施例を図に基づいて説明する。
図１は、この考案の実施例のポケット付ネクタイＡを（以下、「ネクタイＡ」という）を示す。このネクタイＡは、概略、大剣、小剣から成る一般的なものである。このネクタイＡの大剣部１の裏面であって、メーカーの商標等が入ったループ２の下方の個所に、布製の略長方形状で、ループ２側の一辺を開口部として、他の三辺を閉鎖したポケット３を設けている。
【００１４】
このポケット３の取り付けに当たっては、図１及び図２に示すように、閉鎖した三方の周縁を大剣部１の裏面に縫い付けて取り付ける。又は、図３に示すように、このポケット３を袋状に設け、図４に示すように、当該袋状のポケット３ａの裏面に雄型の面ファスナーを取り付け（但し、図示省略）、大剣部１の裏面に雌型の面ファスナー４を取り付けて着脱自在となるように設けてもよい。
【００１５】
また、図１及び図２に示すように、このポケット３の表面に大きく長方形状の窓５を設け、この窓５に透明な材質、例えば、ビニロンなどの合成繊維５ａを設けて、ポケット３の中に入っているものが見える様にすることも出来る。
【００１６】
次に、このネクタイＡを締めて、ポケット３、３ａの中にものを入れる。
ネクタイＡを締めるのは、通常の方法によるので説明を省略する。そして、このポケット３ａにものを入れるが、ネクタイＡに設けたポケット３ａなので、あまり重量のあるものを入れることは出来ない。しかし、軽量でちょっとしたものなら何でも入れることが出来る。例えば、図４に示すように、電車のプリペイドカード６などをこのポケット３ａの中に入れておくと、駅の改札口を通るときに、素早くかつ確実に取り出すことが出来、当該改札口を通過した後は、容易にポケット３ａ内に入れることが出来るので便利である。
【００１７】
また、図１に示すように、ＨＤＤ（Ｈａｒｄ  Ｄｉｓｃ  Ｄｒｉｖｅ）にデータを記録した小型のミュージックプレイヤー７などもこのポケット３の中に収めることが出来る。この場合、このミュージックプレイヤー７から左右の耳用にイアホンのコード７ａが伸びているが、これらのイアホンのコード７ａを通すループ８をポケット３の上方に設けておくと、当該コード７ａがすっきりとネクタイの裏面に収まって、無闇にネクタイの外方へ広がることがない。
【００１８】
なお、上記実施例において、ポケット３、３ａを布により略長方形状に形成しているが、当該ポケット３、３ａを形成出来るものならば、布に換えて他の材質のものでも良く、また、形状としても、一方に開口部を有するものであれば、略長方形状に限るものではなく、他の形状、例えば、楕円形状などでもよい。さらに、電車のプリペイドカード６や小型のミュージックプレイヤー７などを入れているが、これらの外、軽量のものであるならば、ラジオ、各種のカード、定期券、小銭、又はペンなど何を入れても良い。
【００１９】
また、このポケット３ａを袋状に設け、雄型雌型の面ファスナー４によって、大剣部に着脱自在に設けているが、当該ポケット３ａを着脱自在に設けるのは雄型雌型の面ファスナー４に限るものではなく、ボタンやスナップ等他の係止具、被係止具でもよい。また、このポケット３の表面に大きく長方形状の窓５を設け、この窓５に透明な材質として合成繊維５ａのビニロンを設けているが、窓５は必ずしも必要ではなく、また、当該窓５の大きさや透明な材質としては、これらのものに限定するものではなく、他の大きさや形状、また、材質のものでも良い。
【図面の簡単な説明】
【００２０】
【図１】この考案の実施例のネクタイの裏側に設けたポケットに小型のミュージックプレイヤーを入れた状態の平面図である。
【図２】この考案の実施例のネクタイの裏側に縫い付けて設けるポケットの斜視図である。
【図３】この考案の実施例のネクタイの裏側に面ファスナーによって設ける袋状のポケットの斜視図である。
【図４】この考案の実施例のネクタイの裏側に面ファスナーによって着脱自在に設けたポケットを外した状態の一部平面図である。
【符号の説明】
【００２１】
Ａ    ネクタイ
１    大剣部                              ３    ポケット
３ａ  ポケット（袋状）                    ４    面ファスナー
５    窓                                  ８    ループ
【図１】
0003120765.tif 000003
【図２】
0003120765.tif 000004
【図３】
0003120765.tif 000005
【図４】
0003120765.tif 000006